(57)【要約】【課題】  健康関連データを健康関連データベースから集積するための健康関連データ処理装置を提供する。【解決手段】  健康関連データ処理装置１は、健康関連項目２４と関連付けられた健康関連データ２３を健康関連データベース２から集積するためのものである。健康関連データ処理装置１は、記憶部４と、制御部５と、を備えている。記憶部４は、同一の内容を示す複数の健康関連項目２４をグループ化した健康関連項目グループ４１と、各健康関連データグループ４１の統一項目名４２と、を記憶している。制御部５は、健康関連項目グループ４１を参照して、一又は複数の健康関連データベース２から、健康関連項目グループ４１に属する健康関連項目２４に対応する健康関連データ２３を抽出して集積し、統一項目名４２と関連付けて統一データベース３上に反映させる。【選択図】図５
2019164393.tif 000002
【特許請求の範囲】
【請求項１】
健康関連項目と関連付けられた健康関連データを健康関連データベースから集積するための健康関連データ処理装置であって、
同一の内容を示す複数の健康関連項目をグループ化した健康関連項目グループと、各健康関連データグループの統一項目名と、を記憶した記憶部と、
前記健康関連項目グループを参照して、一又は複数の健康関連データベースから、前記健康関連項目グループに属する健康関連項目に対応する健康関連データを抽出する抽出部と、
前記抽出された健康関連データを集積し、前記統一項目名と関連付けて統一データベース上に反映させる集積部と、
を備えたことを特徴とする健康関連データ処理装置。
【請求項２】
前記記憶部には、同一の内容を示す複数の健康関連データをグループ化した健康関連データグループと、各健康関連データグループの統一データ名と、が更に記憶されており、
前記集積部は、前記健康関連データグループに属する健康関連データが抽出された場合、当該抽出された健康関連データを前記統一データ名に統一した上で前記統一データベース上に反映させることを特徴とする請求項１に記載の健康関連データ処理装置。
【請求項３】
前記抽出部は、前記一又は複数の健康関連データベースから個人特定情報は抽出しないことを特徴とする請求項１又は２に記載の健康関連データ処理装置。
【請求項４】
複数の単位が使用され得る健康関連項目グループに関しては、前記記憶部に、前記複数の単位と、前記統一データベースで使用する統一単位と、前記抽出された健康関連データを前記統一単位に統一するための変換式と、が更に記憶されており、
前記集積部は、前記抽出された健康関連データを前記統一単位に変換した上で前記統一データベース上に反映させることを特徴とする請求項１から３のいずれか一項に記載の健康関連データ処理装置。
【請求項５】
前記抽出部は、前記健康関連項目グループに属する健康関連項目と完全一致はしていないが所定以上の一致率である健康関連項目を検出した場合に、前記検出された健康関連項目に対応する健康関連データを抽出することを特徴とする請求項１から４のいずれか一項に記載の健康関連データ処理装置。
【請求項６】
前記記憶部には、前記健康関連項目グループに関して得られる健康関連データの想定範囲、及び、前記健康関連項目グループに関して得られる健康関連データの異常範囲の少なくとも一方が、更に記憶されており、
前記抽出部は、前記想定範囲又は前記異常範囲に含まれる健康関連データを抽出することを特徴とする請求項１から５のいずれか一項に記載の健康関連データ処理装置。
【請求項７】
同一の内容を示す複数の健康関連項目をグループ化した健康関連項目グループと、各健康関連データグループの統一項目名と、を記憶した情報処理装置にインストールされるプログラムであって、
前記健康関連項目グループを参照して、一又は複数の健康関連データベースから、前記健康関連項目グループに属する健康関連項目に対応する健康関連データを抽出する第１のステップと、
前記複数の健康関連データベースから抽出された健康関連データを集積し、前記統一項目名と関連付けて統一データベース上に反映させる第２のステップと、
を備えたことを特徴とする健康関連データ処理プログラム。
【請求項８】
前記情報処理装置には、同一の内容を示す複数の健康関連データをグループ化した健康関連データグループと、各健康関連データグループの統一データ名と、が更に記憶されており、
前記第２のステップでは、前記健康関連データグループに属する健康関連データが抽出された場合、当該抽出された健康関連データを統一データ名に統一した上で前記統一データベース上に反映させることを特徴とする請求項７に記載の健康関連データ処理プログラム。
【請求項９】
前記第１のステップでは、前記一又は複数の健康関連データベースから個人特定情報は抽出しないことを特徴とする請求項７又は８に記載の健康関連データ処理プログラム。
【請求項１０】
複数の単位が使用され得る健康関連項目グループに関しては、前記情報処理装置に、前記複数の単位と、前記統一データベースで使用する統一単位と、前記抽出された健康関連データを前記統一単位に統一するための変換式と、が更に記憶されており、
前記第２のステップでは、前記抽出された健康関連データを前記統一単位に変換した上で前記統一データベース上に反映させることを特徴とする請求項７から９のいずれか一項に記載の健康関連データ処理プログラム。
【請求項１１】
前記第１のステップでは、前記健康関連項目グループに属する健康関連項目と完全一致はしていないが所定以上の一致率である健康関連項目を検出した場合に、前記検出された健康関連項目に対応する健康関連データを抽出することを特徴とする請求項７から１０のいずれか一項に記載の健康関連データ処理プログラム。
【請求項１２】
前記情報処理装置には、前記健康関連項目グループに関して得られる健康関連データの想定範囲、及び、前記健康関連項目グループに関して得られる健康関連データの異常範囲の少なくとも一方が、更に記憶されており、
前記第１のステップでは、前記想定範囲又は前記異常範囲に含まれる健康関連データを抽出することを特徴とする請求項７から１１のいずれか一項に記載の健康関連データ処理プログラム。
【請求項１３】
抽出装置と、集積装置と、を別体に備えた健康関連データ処理システムであって、
前記抽出装置は、
同一の内容を示す複数の健康関連項目をグループ化した健康関連項目グループと、各健康関連データグループの統一項目名と、を記憶した第１の記憶部と、
前記健康関連項目グループを参照して、一又は複数の健康関連データベースから、前記健康関連項目グループに属する健康関連項目に対応する健康関連データを抽出する抽出部と、
前記抽出された健康関連データに対応する個人特定情報に対してサブＩＤを決定する決定部と、
前記個人特定情報と前記サブＩＤとの対応関係を示した対応情報を作成して前記第１の記憶部に記憶させる作成部と、
前記前記抽出された健康関連データ及び前記決定されたサブＩＤを送信する送信部と、
を備え、
前記集積装置は、
前記統一項目名に対応した統一データベースを記憶した第２の記憶部と、
前記送信された健康関連データ及びサブＩＤを受信する受信部と、
前記受信した健康関連データを集積し、前記統一項目名と関連付けて前記統一データベース上に反映させると共に、前記受信した健康関連データと関連付けて、前記サブＩＤを前記統一データベースに付加する集積部と、
を備えたことを特徴とする健康関連データ処理システム。
【請求項１４】
同一の内容を示す複数の健康関連項目をグループ化した健康関連項目グループと、各健康関連データグループの統一項目名と、を記憶した第１の記憶部と、
前記健康関連項目グループを参照して、一又は複数の健康関連データベースから、前記健康関連項目グループに属する健康関連項目に対応する健康関連データを抽出する抽出部と、
前記抽出された健康関連データに対応する個人特定情報に対してサブＩＤを決定する決定部と、
前記個人特定情報と前記サブＩＤとの対応関係を示した対応情報を作成して前記第１の記憶部に記憶させる作成部と、
前記前記抽出された健康関連データ及び前記決定されたサブＩＤを外部の集積装置へ送信する送信部と、
を備えた抽出装置であって、
前記集積装置は、
前記統一項目名に対応した統一データベースを記憶した第２の記憶部と、
前記送信された健康関連データ及びサブＩＤを受信する受信部と、
前記受信した健康関連データを集積し、前記統一項目名と関連付けて前記統一データベース上に反映させると共に、前記受信した健康関連データと関連付けて、前記サブＩＤを前記統一データベースに付加する集積部と、
を備えたことを特徴とする抽出装置。
【請求項１５】
同一の内容を示す複数の健康関連項目をグループ化した健康関連項目グループと、各健康関連データグループの統一項目名と、を記憶した第１の記憶部と、送信部と、を備えた情報処理装置にインストールされるプログラムであって、
前記健康関連項目グループを参照して、一又は複数の健康関連データベースから、前記健康関連項目グループに属する健康関連項目に対応する健康関連データを抽出するステップと、
前記抽出された健康関連データに対応する個人特定情報に対してサブＩＤを決定するステップと、
前記個人特定情報と前記サブＩＤとの対応関係を示した対応情報を作成して前記第１の記憶部に記憶させるステップと、
前記前記抽出された健康関連データ及び前記決定されたサブＩＤを前記送信部から外部の集積装置へ送信させるステップと、
を備え、
前記集積装置は、
前記統一項目名に対応した統一データベースを記憶した第２の記憶部と、
前記送信された健康関連データ及びサブＩＤを受信する受信部と、
前記受信した健康関連データを集積し、前記統一項目名と関連付けて前記統一データベース上に反映させると共に、前記受信した健康関連データと関連付けて、前記サブＩＤを前記統一データベースに付加する集積部と、
を備えたことを特徴とする健康関連データ処理プログラム。
【発明の詳細な説明】
【技術分野】
【０００１】
本発明は、様々なフォーマットで作成された健康関連データベースに含まれる健康関連データを集積するための健康関連データ処理装置に関する。
【背景技術】
【０００２】
従来より、医療機関等に蓄積された医療データ、健診データ、保険データ等の健康関連データを共有し、広く活用したいという要望がある。
【０００３】
このような健康関連データの共有を目的として、医療機関等に保存された健康関連データベースから、対象とする健康関連データを抽出可能なシステムが提案されている（例えば、特許文献１参照）。
【先行技術文献】
【特許文献】
【０００４】
【特許文献１】特開２０１５−０８８１９５号公報
【発明の概要】
【発明が解決しようとする課題】
【０００５】
ところで、健康関連データベースは、医師、病院、カルテ作成業者等が独自に作成したものであるため、健康関連データベースごとにフォーマット（健康関連項目の内容、健康関連項目の名称、健康関連データの単位、健康関連項目及び健康関連データの配列、データの保存方法等）が異なるのが一般的である。極端な場合には、手書きのカルテ等をスキャンしただけのものや、１つの枠内に一人の患者に関する健康関連データを自由に記載したフリースタイルのものまで存在する。
【０００６】
このようにフォーマットの異なる健康関連データベースに含まれる健康関連データまで共有することが望まれているが、特許文献１に記載のシステムでは、そのシステムで定められたフォーマットで入力された健康関連データを共有することができるだけであり、そのシステム外で作成されたフォーマットの異なる健康関連データベースに含まれる健康関連データまで共有することはできない。
【０００７】
そこで、本発明は、様々なフォーマットで作成された健康関連データベースに含まれる健康関連データを集積するための健康関連データ処理装置を提供することを目的とする。
【課題を解決するための手段】
【０００８】
本発明は、健康関連項目と関連付けられた健康関連データを健康関連データベースから集積するための健康関連データ処理装置であって、同一の内容を示す複数の健康関連項目をグループ化した健康関連項目グループと、各健康関連データグループの統一項目名と、を記憶した記憶部と、前記健康関連項目グループを参照して、一又は複数の健康関連データベースから、前記健康関連項目グループに属する健康関連項目に対応する健康関連データを抽出する抽出部と、前記抽出された健康関連データを集積し、前記統一項目名と関連付けて統一データベース上に反映させる集積部と、を備えたことを特徴とする健康関連データ処理装置を提供している。
【０００９】
このような構成により、健康関連データベースのフォーマットに関わらず、対象とする健康関連データを高精度で抽出することができるので、多くの健康関連データを集積し、広く活用することが可能となる。
【００１０】
また、健康関連データ処理装置では、抽出した健康関連データを、当該健康関連データの健康関連項目が属する健康関連項目グループの統一項目名と関連付けて統一データベース上に反映させるので、複数種類の健康関連項目グループに関して健康関連データを抽出した場合であっても、各健康関連データがどの健康関連項目グループに関するものであるかを容易に認識することが可能となる。
【００１１】
また、健康関連データ処理装置は、健康関連データベースに対しては、健康関連データや健康関連項目を読み取れればよいので、健康関連データベースに対する編集機能を有している必要はない。これは、健康関連データの保管施設側からすれば、健康関連データベースへの読み取り権限さえ与えればよく、編集権限等を与える必要がないということである。このように、本発明の健康関連データ処理装置では、健康関連データベースの内容が改ざんされる虞がないので、健康関連データ処理装置の使用に対する健康関連データの保管施設の抵抗感が少なくなることが想定され、多くの健康関連データを集積し、健康関連分野において広く利用されることが期待できる。
【００１２】
また、前記記憶部には、同一の内容を示す複数の健康関連データをグループ化した健康関連データグループと、各健康関連データグループの統一データ名と、が更に記憶されており、前記集積部は、前記健康関連データグループに属する健康関連データが抽出された場合、当該抽出された健康関連データを前記統一データ名に統一した上で前記統一データベース上に反映させることが好ましい。
【００１３】
このような構成によれば、内容把握が容易な統一データベースを提供することが可能となる。
【００１４】
また、前記抽出部は、前記一又は複数の健康関連データベースから個人特定情報は抽出しないことが好ましい。
【００１５】
このような構成によれば、健康関連データは、匿名化された状態で統一データベース上に反映されることとなるので、個人特定情報の流出が防止され、健康関連データ処理装置の使用に対する健康関連データの保管施設の抵抗感が少なくなることが想定される。
【００１６】
また、複数の単位が使用され得る健康関連項目グループに関しては、前記記憶部に、前記複数の単位と、前記統一データベースで使用する統一単位と、前記抽出された健康関連データを前記統一単位に統一するための変換式と、が更に記憶されており、前記集積部は、前記抽出された健康関連データを前記統一単位に変換した上で前記統一データベース上に反映させることが好ましい。
【００１７】
このような構成によれば、健康関連項目の単位まで考慮するので、信頼度の高い統一データベースを作成することが可能となる。
【００１８】
また、前記抽出部は、前記健康関連項目グループに属する健康関連項目と完全一致はしていないが所定以上の一致率である健康関連項目を検出した場合に、前記検出された健康関連項目に対応する健康関連データを抽出することが好ましい。
【００１９】
このような構成によれば、欠損する可能性のある健康関連項目に対応する健康関連データも抽出することができるので、欠損データを最小限に留めることが可能となる。
【００２０】
また、前記記憶部には、前記健康関連項目グループに関して得られる健康関連データの想定範囲、及び、前記健康関連項目グループに関して得られる健康関連データの異常範囲の少なくとも一方が、更に記憶されており、前記抽出部は、前記想定範囲又は前記異常範囲に含まれる健康関連データを抽出することが好ましい。
【００２１】
このような構成によれば、欠損する可能性のある健康関連項目に対応する健康関連データも抽出することができるので、欠損データを最小限に留めることが可能となる。更に、異常な健康関連データのみを集積することも可能となる。
【００２２】
また、本発明の別の観点によれば、同一の内容を示す複数の健康関連項目をグループ化した健康関連項目グループと、各健康関連データグループの統一項目名と、を記憶したコンピュータにインストールされるプログラムであって、前記健康関連項目グループを参照して、一又は複数の健康関連データベースから、前記健康関連項目グループに属する健康関連項目に対応する健康関連データを抽出する第１のステップと、前記複数の健康関連データベースから抽出された健康関連データを集積し、前記統一項目名と関連付けて統一データベース上に反映させる第２のステップと、を備えたことを特徴とする健康関連データ集積プログラムを提供している。
【００２３】
また、前記コンピュータには、同一の内容を示す複数の健康関連データをグループ化した健康関連データグループと、各健康関連データグループの統一データ名と、が更に記憶されており、前記第２のステップでは、前記健康関連データグループに属する健康関連データが抽出された場合、当該抽出された健康関連データを統一データ名に統一した上で前記統一データベース上に反映させることが好ましい。
【００２４】
また、前記第１のステップでは、前記一又は複数の健康関連データベースから個人特定情報は抽出しないことが好ましい。
【００２５】
また、複数の単位が使用され得る健康関連項目グループに関しては、前記コンピュータに、前記複数の単位と、前記統一データベースで使用する統一単位と、前記抽出された健康関連データを前記統一単位に統一するための変換式と、が更に記憶されており、前記第２のステップでは、前記抽出された健康関連データを前記統一単位に変換した上で前記統一データベース上に反映させることが好ましい。
【００２６】
また、前記第１のステップでは、前記健康関連項目グループに属する健康関連項目と完全一致はしていないが所定以上の一致率である健康関連項目を検出した場合に、前記検出された健康関連項目に対応する健康関連データを抽出することが好ましい。
【００２７】
また、前記コンピュータには、前記健康関連項目グループに関して得られる健康関連データの想定範囲、及び、前記健康関連項目グループに関して得られる健康関連データの異常範囲の少なくとも一方が、更に記憶されており、前記第１のステップでは、前記想定範囲又は前記異常範囲に含まれる健康関連データを抽出することが好ましい。
【００２８】
また、本発明の別の観点によれば、抽出装置と、集積装置と、を別体に備えた健康関連データ処理システムであって、前記抽出装置は、同一の内容を示す複数の健康関連項目をグループ化した健康関連項目グループと、各健康関連データグループの統一項目名と、を記憶した第１の記憶部と、前記健康関連項目グループを参照して、一又は複数の健康関連データベースから、前記健康関連項目グループに属する健康関連項目に対応する健康関連データを抽出する抽出部と、前記抽出された健康関連データに対応する個人特定情報に対してサブＩＤを決定する決定部と、前記個人特定情報と前記サブＩＤとの対応関係を示した対応情報を作成して前記第１の記憶部に記憶させる作成部と、前記前記抽出された健康関連データ及び前記決定されたサブＩＤを送信する送信部と、を備え、前記集積装置は、前記統一項目名に対応した統一データベースを記憶した第２の記憶部と、前記送信された健康関連データ及びサブＩＤを受信する受信部と、前記受信した健康関連データを集積し、前記統一項目名と関連付けて前記統一データベース上に反映させると共に、前記受信した健康関連データと関連付けて、前記サブＩＤを前記統一データベースに付加する集積部と、を備えたことを特徴とする健康関連データ処理システムを提供している。
【００２９】
このような構成によれば、健康関連データベースに“個人特定情報”が、統一データベースに“サブＩＤ”が、対応情報に“個人特定情報とサブＩＤとの対応関係”が示されている。そのため、健康関連データ保管施設側は、統一データベース上に個人特定情報が表示されていなくても、対応情報を参照することで、還元された統一データベース上の健康関連データが誰のものであるかを特定することが可能となる。
【００３０】
しかも、集積装置に送信されるのは健康関連データ及びサブＩＤのみであり、個人特定情報を含む対応情報は健康関連データ保管施設側に設置された抽出装置（第１の記憶部）に残る。従って、抽出装置を健康関連データ保管施設側に設置しておくことで、健康関連データ保管施設側が対応情報を入手可能としながらも、個人特定情報が健康関連データ保管施設の外部に渡ることが防止される。
【００３１】
また、本発明の別の観点によれば、同一の内容を示す複数の健康関連項目をグループ化した健康関連項目グループと、各健康関連データグループの統一項目名と、を記憶した第１の記憶部と、前記健康関連項目グループを参照して、一又は複数の健康関連データベースから、前記健康関連項目グループに属する健康関連項目に対応する健康関連データを抽出する抽出部と、前記抽出された健康関連データに対応する個人特定情報に対してサブＩＤを決定する決定部と、前記個人特定情報と前記サブＩＤとの対応関係を示した対応情報を作成して前記第１の記憶部に記憶させる作成部と、前記前記抽出された健康関連データ及び前記決定されたサブＩＤを外部の集積装置へ送信する送信部と、を備えた抽出装置であって、前記集積装置は、前記統一項目名に対応した統一データベースを記憶した第２の記憶部と、前記送信された健康関連データ及びサブＩＤを受信する受信部と、前記受信した健康関連データを集積し、前記統一項目名と関連付けて前記統一データベース上に反映させると共に、前記受信した健康関連データと関連付けて、前記サブＩＤを前記統一データベースに付加する集積部と、を備えたことを特徴とする抽出装置を提供している。
【００３２】
また、本発明の別の観点によれば、同一の内容を示す複数の健康関連項目をグループ化した健康関連項目グループと、各健康関連データグループの統一項目名と、を記憶した第１の記憶部と、送信部と、を備えた情報処理装置にインストールされるプログラムであって、前記健康関連項目グループを参照して、一又は複数の健康関連データベースから、前記健康関連項目グループに属する健康関連項目に対応する健康関連データを抽出するステップと、前記抽出された健康関連データに対応する個人特定情報に対してサブＩＤを決定するステップと、前記個人特定情報と前記サブＩＤとの対応関係を示した対応情報を作成して前記第１の記憶部に記憶させるステップと、前記前記抽出された健康関連データ及び前記決定されたサブＩＤを前記送信部から外部の集積装置へ送信させるステップと、を備え、前記集積装置は、前記統一項目名に対応した統一データベースを記憶した第２の記憶部と、前記送信された健康関連データ及びサブＩＤを受信する受信部と、前記受信した健康関連データを集積し、前記統一項目名と関連付けて前記統一データベース上に反映させると共に、前記受信した健康関連データと関連付けて、前記サブＩＤを前記統一データベースに付加する集積部と、を備えたことを特徴とする健康関連データ処理プログラムを提供している。
【発明の効果】
【００３３】
本発明の健康関連データ処理装置によれば、様々なフォーマットで作成された健康関連データベースに含まれる健康関連データを集積することが可能となる。
【図面の簡単な説明】
【００３４】
【図１】本発明の第１の実施の形態による健康関連データ処理装置の利用環境の説明図
【図２（ａ）】本発明の第１の実施の形態による健康関連データベースの一例
【図２（ｂ）】本発明の第１の実施の形態による健康関連データベースの一例
【図２（ｃ）】本発明の第１の実施の形態による健康関連データベースの一例
【図２（ｄ）】本発明の第１の実施の形態による健康関連データベースの一例
【図３】本発明の第１の実施の形態による健康関連データ処理装置のブロック図
【図４】本発明の第１の実施の形態による統一データベースの説明図
【図５】本発明の第１の実施の形態による制御部の動作についてのフローチャート
【図６】本発明の第５の実施の形態による健康関連データ処理装置の利用環境の説明図
【図７】本発明の第５の実施の形態による制御部の動作についてのフローチャート
【図８】本発明の変形例による健康関連データベースの一例
【発明を実施するための形態】
【００３５】
以下、本発明の第１の実施の形態による健康関連データ処理装置１について、図１−図５を参照して説明する。
【００３６】
図１に示すように、健康関連データ処理装置１は、様々なフォーマットで作成された健康関連データベース２に含まれる健康関連データを集積し、一のフォーマットに統一された統一データベース３を作成するためのものである。
【００３７】
健康関連データ処理装置１は、複数の健康関連データ保管施設Ｘがそれぞれ保管する健康関連データベース２に、有線又は無線により接続されている。健康関連データ保管施設Ｘとしては、一例として、病院等の医療機関、データ集積会社、国民健康組合、健康保険組合等が考えられる。健康関連データベース２には、医療データ、健診データ、医療保険データ等の健康関連データを蓄積したものの全てが含まれるが、本実施の形態では、健診データを蓄積したものを例に説明する。
【００３８】
図２（ａ）−（ｄ）は、健康関連データベース２を例示したものである。
【００３９】
図２（ａ）−（ｄ）に示すように、健康関連データベース２には、個人特定情報２１と、各個人特定情報２１の内容を示す個人特定項目２２と、各個人特定情報２１で特定される人物から取得された健康関連データ２３と、各健康関連データ２３の内容を示す健康関連項目２４と、が表示されている。個人特定情報２１、個人特定項目２２、健康関連データ２３、健康関連項目２４は、用語や数値等を検索可能なデータ形式（例えば、テキスト形式、ＨＴＭＬ形式等）により表示されている。
【００４０】
個人特定項目２２としては、“氏名”、“住所”、“生年月日”、“健康関連データ保管施設Ｘ等により付与されたＩＤ”等が考えられる。健康関連項目２４としては、“年齢”、“性別”等の基本項目、“血液データ”、“血圧”、“腹部周囲径”等の生体項目、“飲酒”、“喫煙”、“運動”等の生活習慣項目、“既往歴”、“治療中の疾患”、“家族の疾患”等の疾患項目等が考えられるが、これらに限らず、医療や健康と関連する可能性のある項目は全て、健康関連項目２４として採用可能である。個人特定情報２１及び健康関連データ２３としては、個人特定項目２２及び健康関連項目２４にそれぞれ対応した数値、アルファベット、文字による所見等が考えられる。
【００４１】
ここで、健康関連データベース２は、通常、健康関連データ保管施設Ｘごとに独自のフォーマットで作成されているため、健康関連項目２４の内容や名称、健康関連データ２３の単位、健康関連項目２４及び健康関連データ２３の配列、これらの保存方法等が異なるのが一般的である。
【００４２】
例えば、図２（ａ）−（ｃ）では、行方向に健康関連項目２４が配列されているが、図２（ｃ）だけは、健康関連項目２４が２行にわたって記載されている。一方で、図２（ｄ）では、健康関連項目２４が列方向に配列されている。また、図２（ａ）−（ｃ）における健康関連項目２４の配列順もバラバラである。
【００４３】
また、図２（ａ）、（ｃ）、（ｄ）の “収縮期血圧”と図２（ｂ）の “ｓｙｓｔｏ＿ｂｐ”は、名称が異なっているが、同一の内容を示す健康関連項目２４である。同様に、図２（ａ）及び（ｄ）の“（肝機能）ＡＳＴ（ＧＯＴ）”と図２（ｂ）及び（ｃ）の“ＡＳＴ”も同一の内容を示すものであり、図２（ａ）及び（ｄ）の“（タバコ）吸う”と、図２（ｂ）の“喫煙”と、図２（ｃ）の“タバコ”も同一の内容を示すものである。
【００４４】
本実施の形態による健康関連データ処理装置１では、このように様々なフォーマットで作成された健康関連データベース２に含まれる健康関連データ２３を集積し、一のフォーマットに統一された統一データベース３を作成する。以下で、健康関連データ処理装置１について詳細に説明する。
【００４５】
図３に示すように、健康関連データ処理装置１は、記憶部４と、制御部５と、を備えている。
【００４６】
記憶部４には、同一の内容を示す複数の健康関連項目２４をグループ化した健康関連項目グループ４１と、各健康関連データグループの統一項目名４２と、が記憶されている。例えば、図３に示すように、上記した健康関連項目２４の“収縮期血圧”と“ｓｙｓｔｏ＿ｂｐ”は、統一項目名４２“ｓｙｓｔｏ＿ｂｐ”の健康関連項目グループ４１に属する。
【００４７】
また、記憶部４には、同一の内容を示す複数の健康関連データ２３をグループ化した健康関連データグループ４３と、各健康関連データグループ４３の統一データ名４４と、も記憶されている。本実施の形態では、例えば、図３に示すように、“男性”、 “男”、 “Ｍ”は、“性別（男）”を示す健康関連データ２３として、同一の健康関連データグループ４３に属しており、統一データベース３上では、“Ｍ”の統一データ名４４で表される。
【００４８】
制御部５は、様々なフォーマットで作成された健康関連データベース２に含まれる健康関連データ２３を集積し、一のフォーマットに統一された統一データベース３を作成する。
【００４９】
ところで、上記したように、健康関連項目２４の中には、同一の内容を示すものであっても異なる名称で表示されているものが多く存在するため、同一の内容を示す健康関連項目２４に対応する健康関連データ２３を、複数の健康関連データベース２から抽出することは非常に困難である。
【００５０】
そこで、本実施の形態による健康関連データ処理装置１では、制御部５が、記憶部４に記憶された健康関連項目グループ４１を参照して、同一の内容を示す健康関連項目２４に対応する健康関連データ２３を高精度に抽出する。
【００５１】
詳細には、各健康関連データベース２内において健康関連項目グループ４１に含まれる健康関連項目２４を検出し、検出した健康関連項目２４に対応する健康関連データ２３を抽出した上で、図４に示すように、抽出された健康関連データ２３を統一項目名４２と関連付けた統一データベース３を作成する。この際、制御部５は、個人特定情報２１は抽出しないので、統一データベース３上には、匿名化された状態の健康関連データ２３が反映されることとなる。
【００５２】
以下で、図５のフローチャートを用いて、制御部５による統一データベース３の作成について詳細に説明する。なお、制御部５が、本発明の“抽出部”及び“集積部”に相当する。
【００５３】
また、図５における制御部５の動作は、健康関連データ処理装置１が健康関連データベース２に接続された状態で、定期的に又は健康関連データベース２の内容が更新されるたびに自動的に行われるものとする。但し、手動により行うようにしてもよい。また、フローチャートの開始時点で、図４に示すような統一データベース３のフォーマットは既に作成されているものとする。
【００５４】
まず、制御部５は、対象とする健康関連データベース２のフォーマットを把握する（Ｓ１）。
【００５５】
詳細には、健康関連データベース２内の枠の配置を把握した上で、各枠内に存在する各健康関連項目グループ４１に属する健康関連項目２４を検出し、検出した健康関連項目２４がどのように配列されているかを判断する。
【００５６】
例えば、図２（ａ）及び（ｂ）の場合には、複数の枠がマトリクス状に配置され、健康関連項目２４が１行目のみに配列されていることが検出される。従って、２行目以下の各行に、各人物の健康関連データ２３が各健康関連項目２４に対応して配列されたフォーマットであると判断することとなる。
【００５７】
図２（ｃ）の場合には、複数の枠がマトリクス状に配置され、健康関連項目２４が１行目及び２行目のみに配列されていることが検出される。従って、３行目以下の各行に、各人物の健康関連データ２３が各健康関連項目２４に対応して配列されたフォーマットであると判断することとなる。
【００５８】
図２（ｄ）の場合には、複数の枠がマトリクス状に配置され、健康関連項目グループ４１に属する健康関連項目２４が１列目のみに配列されていることが検出される。従って、２列目以下の各行に、各人物の健康関連データ２３が各健康関連項目２４に対応して配列されたフォーマットであると判断することとなる。
【００５９】
続いて、健康関連項目グループ４１を参照して、各健康関連項目２４に対応する健康関連データ２３を抽出する（Ｓ２）。
【００６０】
図２（ａ）及び（ｂ）の場合には、２行目以下の各行の各枠内に並ぶ数値等を、図２（ｃ）の場合には、３行目以下の各行の各枠内に並ぶ数値等を、図２（ｄ）の場合には、２列目以下の各行の各枠内に並ぶ数値等を、各人物から各健康関連項目２４に関して取得された健康関連データ２３であると判断して抽出する。
【００６１】
最後に、抽出した健康関連データ２３を統一項目名４２と関連付けて統一データベース３上に反映させる（Ｓ３）。
【００６２】
例えば、図２（ａ）及び（ｂ）の“収縮期血圧”、及び、図２（ｃ）の “ｓｙｓｔｏ＿ｂｐ”は、同じ健康関連項目グループ４１（本実施の形態では、“ｓｙｓｔｏ＿ｂｐ”）に属する健康関連項目２４であるため、これらに対応するものとして抽出された健康関連データ２３は、図４に示すように、統一項目名４２“ｓｙｓｔｏ＿ｂｐ”に関連付けて統一データベース３上に反映されることとなる。
【００６３】
ところで、数値のみで表示される健康関連データ２３の場合には、抽出した数値をそのまま統一データベース３上に反映すればよいが、健康関連データ２３の中には、文字や、文字と数字の混合で表示されるものもあり、更には、文字であっても様々な名称で表示されていることも考えられる。そのため、単純に抽出した文字等を反映させてしまっては、同一の内容を示す様々な名称等が表示されてしまい、統一データベース３の内容把握が難しくなってしまう。
【００６４】
そこで、本実施の形態による健康関連データ処理装置１では、記憶部４に、同一の内容を示す複数の健康関連データ２３をグループ化した健康関連データグループ４３と、各健康関連データグループ４３の統一データ名４４と、が記憶されており、制御部５は、これらを参照して、抽出した健康関連データ２３の名称等を統一させる。
【００６５】
例えば、“性別”の健康関連項目２４に対応した健康関連データ２３は、“男性”、“女性”、“男”、“女”、“Ｍ”、“Ｆ”等と記載されている可能性があることが健康関連データグループ４３に記憶されており、制御部５は、健康関連データグループ４３及び統一データ名４４を参照して、“男性”、 “男”、 “Ｍ”の全てを“Ｍ”として、“女性”、“女”、“Ｆ”の全てを“Ｆ”として抽出する。
【００６６】
また、例えは、“飲酒”の健康関連項目２４に対応した健康関連データ２３は、単純に、“０（飲まない）”、“１（飲む）”と数字で表示される場合もあれば、アルコールの種類（“ワイン”、“ウイスキー”等）や飲酒の頻度（“週に〜杯”、“毎日”等）等が文字で表示される場合もある。従って、数字と文字の両方で表示される可能性のある健康関連データ２３に関しては、読み取るべき文字や数字の様々なバリエーションが健康関連データグループ４３に記憶されている。
【００６７】
特に、“飲酒”等の健康関連項目２４に関しては、酒の種類ごとのアルコール度数を記憶部４に記憶させておくことが好ましい。これにより、図４では、“drinking”の健康関連項目グループ４１には、単純に、“０”、“１”と記載されているが、更に詳細かつ統一された内容で表示することもできる。例えば、図２（ｂ）の“飲酒”の健康関連項目２４の場合、“ワイン”と“週に２〜３杯”を抽出することとなるが、この場合、統一データベース３上には、記憶部４に記憶されたワインのアルコール度数と、２．５杯（２〜３杯の中間値）と、に基づく数値を表示することができる。
【００６８】
このようにして、健康関連データベース２の内容が、統一データベース３のフォーマットに変換された上で、統一データベース３上に反映されることとなる。この際、個人特定情報２１は抽出しないので、統一データベース３上には、匿名化された状態の健康関連データ２３が反映されることとなる。
【００６９】
一の健康関連データベース２に含まれる健康関連データ２３の抽出・反映が終了した後は、他の健康関連データベース２に含まれる健康関連データ２３の抽出・反映も行い、その後、制御部５は動作を終了する。
【００７０】
このようにして作成された統一データベース３は、その他に統一データベース３が存在する場合にも、フォーマットが統一されているため、容易に統合することができる。そして、このようにして集積された多くの健康関連データ２３を解析することで、例えば、喫煙による疾患の可能性や、職種による体重の平均値等をより高精度に算出することが可能となる。
【００７１】
以上説明したように、本実施の形態による健康関連データ処理装置１では、同一の内容を示す複数の健康関連項目２４を健康関連項目グループ４１にグループ化し、健康関連データベース２から、健康関連項目グループ４１に属する健康関連項目２４に対応する健康関連データ２３を抽出する。
【００７２】
これにより、健康関連データベース２のフォーマットに関わらず、対象とする健康関連データ２３を高精度で抽出することができるので、多くの健康関連データ２３を集積し、広く活用することが可能となる。
【００７３】
また、健康関連データ処理装置１では、抽出した健康関連データ２３を、当該健康関連データ２３の健康関連項目２４が属する健康関連項目グループ４１の統一項目名４２と関連付けて統一データベース３上に反映させる。
【００７４】
これにより、複数種類の健康関連項目グループ４１に関して健康関連データ２３を抽出した場合であっても、各健康関連データ２３がどの健康関連項目グループ４１に関するものであるかを容易に認識することが可能となる。
【００７５】
また、健康関連データ処理装置１は、健康関連データベース２に対しては、健康関連データ２３や健康関連項目２４を読み取れればよいので、健康関連データベース２に対する編集機能を有している必要はない。これは、健康関連データ保管施設Ｘ側からすれば、健康関連データベース２への読み取り権限さえ与えればよく、編集権限等を与える必要がないということである。このように、本実施の形態による健康関連データ処理装置１では、健康関連データベース２の内容が改ざんされる虞がないので、健康関連データ処理装置１の使用に対する健康関連データ保管施設Ｘの抵抗感が少なくなることが想定され、多くの健康関連データ２３を集積し、健康関連分野において広く利用されることが期待できる。
【００７６】
また、本実施の形態による健康関連データ処理装置１では、健康関連データグループ４３及び統一データ名４４を参照して、抽出した健康関連データ２３の名称等を統一させる。これにより、内容把握が容易な統一データベース３を提供することが可能となる。
【００７７】
また、本実施の形態による健康関連データ処理装置１では、個人特定情報２１は抽出しないため、健康関連データ２３は、匿名化された状態で統一データベース３上に反映されることとなる。これにより、個人特定情報２１の流出が防止されるので、このことによっても、健康関連データ処理装置１の使用に対する健康関連データ保管施設Ｘの抵抗感が少なくなることが想定される。
【００７８】
続いて、本発明の第２の実施の形態による健康関連データ処理装置１について説明する。
【００７９】
各健康関連データベース２は、健康関連データ保管施設Ｘごとの独自のフォーマットで作成されているため、同一の健康関連項目２４に関する健康関連データ２３であっても、異なる単位で表示されている場合もある。異なる単位で表示された健康関連データ２３に基づき統一データベース３を作成してしまうと、不適切な数値が並ぶこととなり、統一データベース３の信頼度が低くなってしまう。
【００８０】
そこで、本実施の形態による健康関連データ処理装置１では、健康関連データ２３の単位も考慮して統一データベース３を作成する。
【００８１】
詳細には、複数の単位が使用され得る健康関連項目グループ４１に関しては、記憶部４に、使用され得る複数の単位と、統一データベース３で使用する統一単位と、抽出された健康関連データ２３を統一単位に統一するための変換式と、が記憶されている。
【００８２】
図２（ａ）−（ｄ）に示すように、健康関連データベース２の各健康関連項目２４には、その健康関連データ２３の単位が附随して記載されていることが多いので、制御部５は、図５のＳ３よりも前の段階で、健康関連項目２４に付随する単位を検出し、統一単位と異なる単位であった場合には、統一単位に対応する数値に変換した上で、統一データベース３上に反映させる。
【００８３】
このように、本実施の形態による健康関連データ処理装置１では、健康関連項目２４の単位まで考慮するので、信頼度の高い統一データベース３を作成することが可能となる。
【００８４】
続いて、本発明の第３の実施の形態による健康関連データ処理装置１について説明する。
【００８５】
上記実施の形態では、健康関連項目グループ４１を参照して健康関連データ２３を抽出したが、健康関連項目グループ４１に含まれるべきものであるが記憶部４に記憶されていない健康関連項目２４、誤植を有する健康関連項目２４が存在する場合もあり、そのような健康関連項目２４に対応する健康関連データ２３は欠損してしまう。
【００８６】
そこで、本実施の形態による健康関連データ処理装置１では、欠損する可能性のある健康関連項目２４の存在を考慮して抽出を行う。
【００８７】
詳細には、制御部５は、健康関連項目グループ４１に含まれる健康関連項目２４と完全一致はしていないが所定以上の一致率である健康関連項目２４を検出した場合に、当該健康関連項目２４に対応する健康関連データ２３を抽出する。例えば、健康関連項目２４に、“タハコ”と記載されていた場合には、“タバコ”に関する健康関連項目２４と所定以上の一致率であるとして、対応する健康関連データ２３を抽出する。
【００８８】
このような構成によれば、欠損する可能性のある健康関連項目２４に対応する健康関連データ２３も抽出することができるので、欠損データを最小限に留めることが可能となる。なお、健康関連データ処理装置１に、学習機能を持たせ、欠損データを更に最小限に留めることも可能である。
【００８９】
続いて、本発明の第４の実施の形態による健康関連データ処理装置１について説明する。
【００９０】
本実施の形態による健康関連データ処理装置１は、第３の実施の形態と同様に、欠損データを最小限に留めるためのものである。
【００９１】
詳細には、記憶部４に、各健康関連項目グループ４１に関して得られる健康関連データ２３の“想定範囲”を記憶させておく。そして、制御部５は、図５のＳ２の後に、健康関連データベース２内でまだ抽出されていない数値の中で、“想定範囲”に含まれる数値が存在していないかどうかを探す。そのような数値が検出された場合には、当該“想定範囲”を有する健康関連項目グループ４１に関する健康関連データ２３であるとして抽出する。本実施の形態の“想定範囲”に関しては、第２の実施の形態や第３の実施の形態と併用すると、特に効果的である。
【００９２】
なお、“想定範囲”とは逆に、各健康関連項目グループ４１に対応した健康関連データ２３の“異常範囲”を記憶させ、異常な健康関連データ２３のみを集積することもできる。この場合には、その他の集積された健康関連データ２３とは分けて取り扱うことが好ましい。
【００９３】
続いて、図６及び図７を参照して、本発明の第５の実施の形態による健康関連データ処理システム１０について説明する。
【００９４】
本実施の形態による健康関連データ処理システム１０では、第１の実施の形態の健康関連データ処理装置１が、図６に示すように、抽出装置１１と集積装置１２に分割され、別体として設けられている。抽出装置１１は、健康関連データ保管施設Ｘ内に設置された健康関連データベース２が記憶された情報処理装置Ａに接続されている。集積装置１２は、健康関連データ集積業者Ｙ側が管理しており、抽出装置１１と有線又は無線により通信可能な状態となっている。
【００９５】
このような環境の下で、本実施による健康関連データ処理システム１０では、各人物の健康関連データ２３に対する解析結果（例えば、所定の疾患のリスクの予測や、所定の疾患の発症を抑えるためのアドバイス等）を統一データベース３に付加した上で、健康関連データ保管施設Ｘに還元する。本実施の形態では、一例として、統一データベース３をクラウドＺ上に置くことで、統一データベース３を健康関連データ保管施設Ｘへ還元する。
【００９６】
以下で、本実施の形態による健康関連データ処理システム１０の構成について説明する。
【００９７】
抽出装置１１は、第１の記憶部１１ａと、第１の制御部１１ｂと、送信部１１ｃと、を備えている。
【００９８】
第１の記憶部１１ａには、第１の実施の形態による記憶部４と同様に、健康関連項目グループ４１、統一項目名４２、健康関連データグループ４３、及び、統一データ名４４が記憶されている。
【００９９】
第１の制御部１１ｂは、第１の実施の形態による制御部５の機能のうち、フォーマットの把握（図４のＳ１）及び健康関連データ２３の抽出（図４のＳ２）を行う。
【０１００】
ところで、第１の実施の形態で作成された統一データベース３上には、個人特定情報２２が反映されず匿名化されているため、健康関連データ保管施設Ｘ側は、解析結果が付加された統一データベース３を還元されたとしても、解析の対象人物を特定することができない。
【０１０１】
そこで、本実施の形態では、統一データベース３にサブＩＤ２５を付加することで、解析の対象人物の特定を可能にする。
【０１０２】
そのために、第１の制御部１１ｂは、抽出した健康関連データ２３に対応する個人特定情報２１に対してサブＩＤ２５を決定し、個人特定情報２１とサブＩＤ２５との対応関係を示した対応情報２６を作成する。作成された対応情報２６は、第１の記憶部１１ａに記憶させる。
【０１０３】
抽出した健康関連データ２３及び決定したサブＩＤ２５は、送信部１１ｃから集積装置１２へ送信される。
【０１０４】
集積装置１２は、受信部１２ａと、第２の記憶部１２ｂと、第２の制御部１２ｃと、を備えている。
【０１０５】
受信部１２ａは、送信部１１ｃから送信された健康関連データ２３及びサブＩＤ２５を受信する。
【０１０６】
第２の記憶部１２ｂには、統一項目名４２に対応した統一データベース３（のフォーマット）が記憶されている。
【０１０７】
第２の制御部１２ｃは、第１の実施の形態による制御部５のうち、受信部１２ａにより受信された健康関連データ２３の集積、及び、統一項目名４２と関連付けて統一データベース３上への反映（図４のＳ３）を行う。
【０１０８】
更に、本実施の形態では、第２の制御部１２ｃは、受信部１２ａにより受信された健康関連データ２３と関連付けて、サブＩＤ２５を統一データベース３に付加する。
【０１０９】
以下で、図７のフローチャートを用いて、対象人物特定のための第１の制御部１１ｂ及び第２の制御部１２ｃによる動作について説明する。なお、第１の制御部１１ｂが、本発明の“決定部”及び“作成部”に相当し、第２の制御部１２ｃが、本発明の“集積部”に相当する。
【０１１０】
ここでは、理解を容易にするため、一の企業（健康関連データ保管施設Ｘ）に保管された多数の社員の健康関連データ２３が記憶された健康関連データベース２から、任意の社員の健康関連データ２３を抽出する場合を例に説明する。なお、健康関連データベース２には、企業、病院、検査会社等により各社員に対して個別に付与されたオリジナルＩＤが各社員の健康関連データ２３と関連付けて記載されており、このオリジナルＩＤをサブＩＤ２５と関連付ける個人特定情報２１として用いるものとする。
【０１１１】
まず、抽出装置１１側の第１の制御部１１ｂは、対象とする健康関連データベース２のフォーマットを把握した後（Ｓ１１）、当該任意の社員のオリジナルＩＤ（個人特定情報２１）に対してサブＩＤ２５を決定した上で（Ｓ１２）、オリジナルＩＤ（個人特定情報２１）とサブＩＤ２５との対応関係を示した対応情報２６を作成する（Ｓ１３）。オリジナルＩＤとしては、個人特定項目２２“ＩＤ”等に対応した個人特定情報２１を読み取ることとなる。サブＩＤとしては、１０桁以上のランダムな数字や文字であることが好ましい。
【０１１２】
このようにして、抽出された健康関連データ２３及び決定されたサブＩＤ２５は、送信部１１ｃから送信され、集積装置１２の受信部１２ａにより受信される。この送信は、送信部１１ｃが自動的に行ってもよく、また、第１の制御部１１が送信部１１に送信させてもよい。
【０１１３】
最後に、集積装置１２側の第２の制御部１２ｃは、受信部１２ａにより受信された健康関連データ２３を統一データベース３上に反映させると共に、受信部１２ａにより受信された健康関連データ２３と関連付けて、対応するサブＩＤ２５及び解析結果を統一データベース３に付加する（Ｓ１４）。解析結果は、健康関連データ処理装置１内で自動的に作成されるようにしてもよいし、健康関連データ処理装置１外で作成されたものを用いてもよい。
【０１１４】
このようにして作成された統一データベース３は、クラウドＺ上に置かれ、健康関連データ保管施設Ｘ側は、パスワード等を入力することで、統一データベース３の内容を閲覧及び取得することが可能となる。
【０１１５】
ところで、個人特定情報２１は、抽出装置１１から集積装置１２へは送信されていないため、統一データベース３上には個人特定情報２１が表示されていない。そのため、健康関連データ保管施設Ｘは、統一データベース３を閲覧したとしても、統一データベース３上の健康関連データ２３が誰のものであるかを特定することができない。
【０１１６】
しかしながら、本実施の形態による健康関連データ処理システム１０では、健康関連データベース２に“オリジナルＩＤ（個人特定情報２１）”が、統一データベースに“サブＩＤ２５”が、対応情報２６に“オリジナルＩＤ（個人特定情報２１）とサブＩＤ２５との対応関係”が示されている。そのため、健康関連データ保管施設Ｘ側は、統一データベース３上に個人特定情報２１が表示されていなくても、対応情報２６を参照することで、還元された統一データベース３上の健康関連データ２３が誰のものであるかを特定することが可能となる。
【０１１７】
しかも、集積装置１２に送信されるのは健康関連データ２３及びサブＩＤ２５のみであり、個人特定情報２１を含む対応情報２６は健康関連データ保管施設Ｘ側に設置された抽出装置１１（第１の記憶部１１ａ）に残る。従って、抽出装置１１を健康関連データ保管施設Ｘ側に設置しておくことで、健康関連データ保管施設Ｘ側が対応情報２６を入手可能としながらも、個人特定情報２１が健康関連データ保管施設Ｘの外部に渡ることが防止される。
【０１１８】
尚、本発明の健康関連データ処理装置は、上述した実施の形態に限定されず、特許請求の範囲に記載した範囲で種々の変形や改良が可能である。
【０１１９】
（１）フォーマットについて
【０１２０】
例えば、上記実施の形態の図２（ａ）−（ｄ）では、各枠内に１つの情報のみが記載されていたが、図８に示すように、１人の人物の個人特定情報２１、個人特定項目２２、健康関連データ２３、及び、健康関連項目２４が、１つの枠内にフリースタイルで記載されている場合もある。このような場合、健康関連項目２４が記載された枠がランダムに存在したり、１つの枠内に複数の健康関連項目２４が記載されている可能性が高い。
【０１２１】
そこで、制御部５は、図５のＳ１において、健康関連項目２４が記載された枠がランダムに存在していた場合、又は、１つの枠内に複数の健康関連項目２４が記載されていた場合には、健康関連データベース２は、１人の人物に対して１つの枠を用いるフォーマットであると判断する。
【０１２２】
そして、図５のＳ２において、枠内のキーワード検索を行い、適切な範囲で文字・数字等を抽出する。詳細には、健康関連項目グループ４１に属する健康関連項目２４を発見した場合、当該健康関連項目２４の右側に存在する数値等を対応する健康関連データ２３として抽出する。１つの枠内に複数の健康関連項目２４を発見した場合には、それぞれについて、健康関連項目２４の右側に存在する数値等を対応する健康関連データ２３として抽出することとなる。
【０１２３】
このような構成により、フリースタイルで記載された健康関連データベース２からも健康関連データ２３を抽出することができるので、より多くの健康関連データ２３を集積することが可能となる。
【０１２４】
また、フォーマットの把握は、必ずしも健康関連データ処理装置１により行う必要はなく、例えば、健康関連データベース２ごとに、人間が視認したフォーマットを手動で入力してもよい。
【０１２５】
（２）健康関連データの対象について
【０１２６】
本発明の健康関連データは、上記実施の形態で挙げたものに限らない。例えば、所定の疾患が“うつ病”の場合、健康関連データ２３として、音声データ等を用いることが考えられる。また、運動、栄養、ストレス、睡眠等の健康と直接的又は間接的に関連のあるデータも本発明の健康関連データに含まれる。
【０１２７】
また、本発明の健康関連データベースは、健康関連データ保管施設Ｘにより作成されたものに限らず、例えば、労務データ（労働時間、時間外労働等）や、健康アプリやオンライン質問票等に患者が自分で入力したデータ、患者が携帯する活動計により自動測定されたデータ等の、健康関連データ保管施設Ｘ以外（患者等）で取得されたデータも含まれる。
【０１２８】
また、個人特定情報２１、個人特定項目２２、健康関連データ２３、健康関連項目２４の区別は、そのデータの用途によっても異なるものである。例えば、地域ごとのデータを集積したい場合には、例えば、都道府県等の“住所の一部”は、個人特定情報２１及び個人特定項目２２には含まれず、健康関連データ２３及び健康関連項目２４に含まれることとなる。
【０１２９】
また、検査会社には、測定した健康関連データ２３の数値にばらつきがある場合がある。例えば、ある健康関連項目２４に関し、検査会社Ａ−Ｄが同一人物の健康関連データ２３を測定した場合、検査会社Ａは、検査会社Ｂ−Ｄよりも常に所定量少なめの数値が測定されるというような場合である。このような場合を想定して、測定された健康関連データ２３にばらつきがあると分かっている場合には、記憶部４に変換式を記憶させておき、統一データベース３上に表示する健康関連データ２３を調整（変換）してもよい。これにより、例えば、“クレアチニン”の健康関連項目２４に関し、検査会社Ａ−Ｄの中で、検査会社Ｄだけは“０．０３”多めの数値（健康関連データ２３）と測定される傾向にある場合、検査会社Ｄだけは、“０．０３”だけ減算した数値を統一データベース３上に表示することとなる。
【０１３０】
（３）健康関連データの抽出方法について
【０１３１】
上記実施の形態では、複数の健康関連項目グループ４１に対応する健康関連データ２３を全て抽出したが、健康関連項目グループ４１を選択可能にし、必要とする健康関連データ２３のみを抽出するようにしてもよい。
【０１３２】
また、上記実施の形態では、健康関連データベース２から健康関連データ２３を直接抽出したが、健康関連データベース２をコピーした上で、その中から健康関連データ２３を集積する場合も本発明に含まれる。
【０１３３】
また、上記実施の形態では、個人特定情報２１、個人特定項目２２、健康関連データ２３、健康関連項目２４は、用語や数値等を検索可能なデータ形式（例えば、テキスト形式、ＨＴＭＬ形式等）により表示されていたが、手書きのデータなどの場合には、文字読み取りソフト等を用いて読み取ればよい。
【０１３４】
（４）第５の実施形態について
【０１３５】
第５の実施の形態では、各解析結果の対象社員を特定するための個人特定情報２１として、オリジナルＩＤを採用したが、氏名や住所等を採用してもよい。
【０１３６】
また、対象社員が病院で複数回検査を受けた場合や健康診断を毎年受けた場合には、健康関連データベース２には、対象社員について複数の健康関連データ２３が記憶されていることとなる。そのような場合、複数の健康関連データ２３の時系列を追って、継時的な解析を行うことが好ましい。
【０１３７】
そこで、そのような場合には、抽出装置１１側の第１の制御部１１ｂは、健康関連データベース２に記載された受診時期も読み取り、対象社員のサブＩＤ２５に加えて、受診時期情報も作成する。健康関連データ処理装置１側は、受診時期情報も参照することで、より適切な解析を行うことが可能となる。
【０１３８】
この際、オリジナルＩＤに対して決定したサブＩＤ２５の他に、受診時期情報に対しても第２のサブＩＤ２５を決定し、対応情報２６にもオリジナルＩＤと第２のサブＩＤ２５との対応関係を示すことで、受診時期情報が健康関連データ保管施設Ｘの外部に渡ることが防止される。
【０１３９】
なお、受診時期情報以外にも、手術内容や、入院した部屋番号等に対して第２のサブＩＤ２５を決定してもよく、複数の情報に対して第２のサブＩＤ２５を決定してもよい。
【０１４０】
また、第５の実施の形態では、各対象社員に対する解析結果を作成したが、グループ（会社、事業所、部署等）単位での解析結果（健康リスク、各疾患の罹患率、生活習慣パターン、超過業務情報等）を作成してもよい。グループの単位としては、他にも、自治体、病院、診療所等の様々なものが考えられる。
【０１４１】
また、上記実施の形態では、抽出装置１１は健康関連データ保管施設Ｘ側に、集積装置１２は健康関連データ集積業者Ｙ側に設置されていたが、抽出装置１１及び集積装置１２の双方とも、健康関連データ保管施設Ｘ側に設置されていてもよい。この場合には、例えば、健康関連データ集積業者Ｙが、クラウドＺ上で統一データベース３上に解析結果を付加し、集積装置１２へ当該統一データベース３を送信することで、健康関連データ保管施設Ｘ側は、解析結果が付加された統一データベース３を閲覧することが可能となる。
【０１４２】
また、抽出装置１１及び集積装置１２の双方とも、健康関連データ集積業者Ｙ側に設置されていてもよい。この場合には、例えば、郵便、メール等の手段で、健康関連データ集積業者Ｙから健康関連データ保管施設Ｘへ対応情報２６を渡すことが考えられる。
【０１４３】
（５）プログラムについて
【０１４４】
本発明は、制御部５が行う処理に相当するプログラムや、当該プログラムを記憶した記録媒体にも応用可能である。記録媒体の場合、コンピュータ等に当該プログラムがインストールされることとなる。ここで、当該プログラムを記憶した記録媒体は、非一過性の記録媒体であっても良い。非一過性の記録媒体としては、ＣＤ−ＲＯＭ等が考えられるが、それに限定されるものではない。特に、第５の実施の形態の場合、抽出装置１１の第１の制御部１１ｂの替わりに、第１の制御部１１ｂに相当するプログラムを健康関連データ保管施設Ｘ側の情報処理装置Ａにインストールする構成であってもよい。この場合には、第１の記憶部１１ａ及び送信部１１ｃは、情報処理装置Ａに備わっているもので代替すればよい。
【０１４５】
また、本発明の“健康関連データ処理装置”には、通常の情報端末以外に、携帯電話、スマートフォン、携帯情報端末等も含まれ、本発明の“プログラム”には、通常の情報端末以外にも、携帯情報端末等に用いられるプログラムやアプリケーション等も含まれる。
【符号の説明】
【０１４６】
１          健康関連データ処理装置
２          健康関連データベース
３          統一データベース
４          記憶部
５          制御部
１０      健康関連データ処理システム
１１      抽出装置
１１ａ  第１の記憶部
１１ｂ  第１の制御部
１１ｃ  送信部
１２      集積装置
１２ａ  受信部
１２ｂ  第２の記憶部
１２ｃ  第２の制御部
２１      個人特定情報
２２      個人特定項目
２３      健康関連データ
２４      健康関連項目
２５      サブＩＤ
２６      対応情報
４１      健康関連項目グループ
４２      統一項目名
４３      健康関連データグループ
４４      統一データ名
Ｘ          健康関連データ保管施設
Ｙ          健康関連データ集積業者
【図１】
2019164393.tif 000003
【図２（ａ）】
2019164393.tif 000004
【図２（ｂ）】
2019164393.tif 000005
【図２（ｃ）】
2019164393.tif 000006
【図２（ｄ）】
2019164393.tif 000007
【図３】
2019164393.tif 000008
【図４】
2019164393.tif 000009
【図５】
2019164393.tif 000010
【図６】
2019164393.tif 000011
【図７】
2019164393.tif 000012
【図８】
2019164393.tif 000013